(57)【要約】      （修正有）【課題】体が不自由な為に靴下を履くのが困難な方が、他人の手を借らず、又苦労すること無く、一人で容易に履く事が出来る靴下履き補助具。【解決手段】ガイド棒２、３の一端に靴下を装着するリング５と装着した靴下を固定するリング６を設け、もう一方の端にはこの動作を操作する指掛け部１１とコイルバネ１を設ける。指掛け部を指で引き上げ靴下をリング装着し、後、指を離して固定する。リングの上部より靴下の中に足先を入れ、ガイド棒を引き上げていけば靴下の奥までしっかりと履くことが出来る。履き終えれば再度指掛け部を引き上げ、靴下の固定を外し、ガイド棒を押し下げながら足からリングを抜くことで、一連の動作を終える。【選択図】図１
2014061141.tif 000002
【特許請求の範囲】
【請求項１】
ガイド棒の下方先端部に靴下を装着するリングと靴下を固定するリングの２
個を設け、上方の先端部には靴下の装着と固定を容易にする指掛け部とコイル
バネを設け、一体化にした靴下履きの補助具。
【請求項２】
前記のガイド棒には、棒Ａ，棒Ｂ，棒Ｃの３本が重なり、棒ＡはリングＤと
一体化している。又棒Ｃとはボルト，ナットで接続し同時同方向の動きをする。
棒ＢはリングＥと一体化をなし、上部先端部には常時棒Ａを押し下げているコ
イルバネを取り付けている。棒Ｃの上部先端部には指掛け部を設け、これを引
上げることによりリングＤとＥは分離する構造の靴下履きの補助具。
【請求項３】
上記構造で、靴下をリングＤ，Ｅの内側に通し、指掛け部を引き上げながら
リングＤの縁に靴下の縁を被せて、指掛け部から指を離せばコイルバネの押し
戻し作用で、リングＤとＥが接着して靴下の縁を固定する構造の靴下履きの補
助具。
【請求項４】
上記機構により、リングの上部より足先を入れガイド棒を引き上げて靴下を
履き、履き終えれば再び指掛け部を引き上げることで靴下の固定が外れる構造。
後、足からリングを抜く。この一連の動作機構を構築した靴下履きの補助具。
【請求項５】
上記構造で、ガイド棒とリングはポリプロピレン製、又は木製か竹製で、コ
イルバネとボット，ナットは金属製の素材で製作した靴下履きの補助具。
【発明の詳細な説明】
【技術分野】
【０００１】
本発明は、靴下を履く動作が不自由な方に手助けをする用具に関する。
【背景技術】
【０００２】
本発明品の様な製品は未だ提案されていない。
【先行技術文献】
【特許文献】
【０００３】
無し。
【発明の概要】
【発明が解決しようとする課題】
【０００４】
体の自由が利かず、自分の手を伸ばして靴下を履くのに苦労せれる方が多く見られる。
【０００５】
特に高齢者や妊婦或いは病気,怪我等で治療や介護されている方に多く見られ、又足先に手が届かず他人の手を借りて履く方も多く見られる。
【課題を解決するための手段】
【０００６】
これらの問題の解決方法として、ガイド棒の一方の先端部に靴下を装着するリングと、装着した靴下を固定するリングを設け、又もう一方の先端部に、その行為の操作を容易にする指掛け部とコイルバネで構築する。
【０００７】
以上の構成で、先ずリングの内側から靴下を通し、ガイド棒の指掛部を引き上げ２個のリングを分離する。上部の装着用リングの縁に靴下の縁を被せ込み、後、指掛け部より指を離せばコイルバネの押し戻し作用で、２個のリングが接着して靴下の縁をしっかり固定する機構とする。
【発明の効果】
【０００８】
上記の機構により、靴下を固定したリングの上方より足先を入れ、ガイド棒を引き上げていけば靴下の奥までしっかりと足先を通すことができる。その後再び指掛け部を引き上げて２個のリングの接着を分離する。更にガイド棒を引き上げていけばリングの縁に被せ込んでいた靴下の縁も外れて足に固着する。その後ガイド棒を押し下げていき、リングより足を抜くことで容易に履き終えることができる。
【図面の簡単な説明】
【０００９】
【図１】靴下履き補助具の形状図。
【図２】指掛け部を引き上げた状態の組み立て側面図。
【図３】ガイド棒Ａと靴下装着用リングＤを一体化した正面図。
【図４】ガイド棒Ａと靴下装着用リングＤを一体化した側面図。
【図５】ガイド棒Ｂと靴下固定用リングＥを一体化をなし、コイルバネと組み合わせた正面図。
【図６】ガイド棒Ｂと靴下固定用リングＥを一体化をなし、コイルバネと組み合わせた側面図。
【図７】ガイド棒Ｃの正面図。
【図８】ガイド棒Ｃの側面図。
【図９】ガイト棒の先端部を手の平で支え、指掛け部を引き上げる状態図。
【図１０】ガイド棒Ａを引き上げ、リングＤに靴下を装着した状態図。
【図１１】ガイド棒を手に取り、靴下を履こうとする状態図。
【発明を実施するための形態】
【００１０】
以下、本発明の実施の形態を図に基づいて説明する。
【実施例１】
【００１１】
図１は、本発明の完成形状図を表し、ガイド棒２，３，４の長さ及びリング５，６の径の寸法の違った物を組み合せ製品化する。
【００１２】
図２は、ガイド棒２，３，４の３本を重ね合わせ、ボルト,ナット７で接続した形状を表し。上部の指掛け部１１の引き上げ動作及びコイルバネ１の押し戻し動作により、リング５と６は分離又は接着をする。尚、この動作でガイド棒２と４はガイド棒３を挟みながら同じ動きでスライドする。
【００１３】
図３，図４は、ガイド棒２とリング５の一体化を表し、ボルト貫通穴９より接続用のボルト７を通す形状とする。
【００１４】
図５，図６は、ガイド棒３とリング６の一体化を表し、上部には押し下げ用のコイルバネ１が取り付けてあり、中央の２箇所にボルト７が貫通してスライドする溝８を設ける。
【００１５】
図７，図８は、ガイド棒４の上部に引き上げ用の指掛け部１１を設け、ボ
ルト貫通穴９には接続ナット７が収まる形状を表す。
【００１６】
図９は、ガイド棒の上端を手の平で支え、指掛け部１１を引き上げる動作を表し、この作用によりリング５とリング６が分離する。                      
【００１７】
図１０は、分離しているリング５,６の内側から通した靴下１０の縁をリング５の縁に被せ装着した状態を表す。
【００１８】
図１１は、上図の状態から指掛け部より指を離すことにより、コイルバネ
の押し戻し作用で、２個のリングが靴下の縁を挟み固定をする。この状態でガ
イド棒を引き寄せながら靴下を履こうとする動作を表す。
【産業上の利用可能性】
【００１９】
本発明は、体の自由が利かず一人で靴下を履くことが出来ない方、或いは
履く動作に苦痛を伴う方の苦労を解消する目的で考案したもので、家庭，ケア
ホーム,病院，その他、国の内外問わず広く一般に利用されるものと思われる。
【符号の説明】
【００２０】
１  コイルバネ。
２  ガイド棒Ａ。
３  ガイド棒Ｂ。
４  ガイド棒Ｃ。
５  靴下装着用リングＤ。
６  靴下固定用リングＥ。
７  ガイド棒ＡとＣを接続するボルトとナット。
８  ボルトがスライドする溝。
９  ボルトが貫通する丸穴。
１０  靴下。
１１  指掛け部。
【図１】
2014061141.tif 000003
【図２】
2014061141.tif 000004
【図３】
2014061141.tif 000005
【図４】
2014061141.tif 000006
【図５】
2014061141.tif 000007
【図６】
2014061141.tif 000008
【図７】
2014061141.tif 000009
【図８】
2014061141.tif 000010
【図９】
2014061141.tif 000011
【図１０】
2014061141.tif 000012
【図１１】
2014061141.tif 000013